(57)【特許請求の範囲】
【請求項１】
非弾性訓練装置を構成し使用する方法であって、前記非弾性訓練装置は、或る長さ分離れた一対の端部を有する細長部材と、前記細長部材の第１の部分を前記細長部材の第２の部分に対して折り返すことにより形成された第１のループであって、前記細長部材の第２の部分が、前記細長部材の第１の部分に近接する第１のループと、前記細長部材の第３の部分を前記細長部材の第２の部分に対して折り返すことにより形成された第２のループであって、前記細長部材の第３の部分が、前記細長部材の第２の部分に近接し、前記第２のループが、前記第１のループに近接する第２のループとを具え、前記細長部材の第２の部分が、前記細長部材の第１の部分および前記細長部材の第３の部分に固定されており、前記方法が、
前記細長部材の第１の端部を構造体に巻いて、第１のストラップ取付機構を用いて前記細長部材の第１の端部を前記第２のループに取り外し可能に取り付けることにより、前記細長部材を構造体に固定するステップと、
第２のストラップ取付機構を用いてグリップを前記第１のループに取り外し可能に取り付けるステップと、
前記グリップに力を加えることにより、訓練を行うステップとを具えることを特徴とする方法。
【請求項２】
請求項１に記載の方法において、前記細長部材が、前記細長部材の第４の部分を前記細長部材の第５の部分に対して折り返すことにより形成された第３のループであって、前記細長部材の第４の部分が、前記細長部材の第２の端部に近接する第３のループと、前記細長部材の第６の部分を前記細長部材の第５の部分に対して折り返すことにより形成された第４のループであって、前記細長部材の第５の部分が、前記細長部材の第４の部分に近接し、前記第４のループが前記第３のループに近接する第４のループとを具え、前記細長部材の第５の部分が、前記細長部材の第４の部分および前記細長部材の第６の部分に固定されており、前記方法が、
前記第２のストラップ取付機構を前記第２のループから取り外し、前記第２のストラップ取付機構を用いて前記グリップを前記第３のループに取り外し可能に取り付けることにより、前記グリップと前記構造体との距離を増大させるステップを更に具えることを特徴とする方法。
【請求項３】
請求項２に記載の方法において、前記方法が、
前記第１のストラップ取付機構を前記第２のループから取り外し、前記第１のストラップ取付機構を用いて前記細長部材の第１の端部を前記第４のループに取り外し可能に取り付けることにより、前記グリップと前記構造体との間の距離を減少させるステップを更に具えることを特徴とする方法。
【請求項４】
或る長さ分離れた一対の端部を有する細長部材と、
前記細長部材の第１の部分を前記細長部材の第２の部分に対して折り返すことにより形成された第１のループであって、前記細長部材の第２の部分が、前記細長部材の第１の部材に近接する第１のループと、
前記細長部材の第３の部分を前記細長部材の第２の部分に対して折り返すことにより形成された第２のループであって、前記細長部材の第３の部分が、前記細長部材の第２の部材に近接し、前記第２のループが前記第１のループに近接する第２のループとを具え、前記細長部材の第２の部分が、前記細長部材の第１の部分および前記細長部材の第３の部分に固定され、前記細長部材の第１の部分が、前記一対の端部のうちの第１の端部に近接しており、前記非弾性訓練装置が、
前記一対の端部のうちの第２の端部および前記細長部材の第３の部分に近接する前記細長部材の第４の部分と、
前記細長部材の第４の部分を前記細長部材の第３の部分に対して折り返すことにより形成された第３のループであって、前記第３のループが前記第２のループに近接する第３のループとを更に具え、
前記細長部材の第４の部分が、前記細長部材の第３の部分に固定され、
前記第１のループに固定されたストラップ取付機構と、
第１の非弾性ストラップにより前記第２のループに固定されたグリップと、
前記第３のループに固定されたストラップ延長機構とを更に具えることを特徴とする非弾性訓練装置。
【請求項５】
請求項４に記載の非弾性訓練装置において、前記グリップがハンドグリップであって、第２の非弾性ストラップが前記グリップに固定され、かつフットグリップとして構成され、前記第１の非弾性ストラップおよび前記第２の非弾性ストラップがそれぞれ前記グリップを通ることを特徴とする非弾性訓練装置。
【請求項６】
請求項４に記載の非弾性訓練装置において、前記第１の非弾性ストラップが、前記第２のループを通って移動可能であることを特徴とする非弾性訓練装置。
【請求項７】
請求項４に記載の非弾性訓練装置において、前記第１の非弾性ストラップが、前記第２のループに移動不能に固定されることを特徴とする非弾性訓練装置。
【請求項８】
請求項４に記載の非弾性訓練装置において、
第１の端部と、第２の端部と、前記第２の端部を拘束して、開いたループを形成するよう構成されるストラップ拘束部とを含む第２のストラップを更に具え、
前記第１の端部が、閉じたループを具え、
前記ストラップ延長機構を通して前記第２のストラップを動かすことで、前記ストラップ延長機構と前記第１の端部との距離が調節可能になるように、前記開いたループが前記ストラップ延長機構に動作可能に連結されることを特徴とする非弾性訓練装置。
【請求項９】
請求項８に記載の非弾性訓練装置において、前記非弾性訓練装置を構造体に固定するために、前記閉じたループが、前記ストラップ取付機構に取り外し可能に連結されることを特徴とする非弾性訓練装置。
【請求項１０】
非弾性訓練装置を組み立てるためのキットであって、前記キットが、
或る長さ分離れた一対の端部を有する細長部材であって、
前記細長部材の第１の部分を前記細長部材の第２の部分に対して折り返すことにより形成された第１のループであって、前記細長部材の第２の部分が、前記細長部材の第１の部分に近接する第１のループと、
前記細長部材の第３の部分を前記細長部材の第２の部分に対して折り返すことにより形成された第２のループであって、前記細長部材の第３の部分が、前記細長部材の第２の部分に近接し、前記第２のループが前記第１のループに近接する第２のループとを具え、
前記細長部材の第２の部分が、前記細長部材の第１の部分および前記細長部材の第３の部分に固定される細長部材と、
グリップアセンブリであって、
第１の非弾性ストラップと、
前記第１の非弾性ストラップに取り付けられたハンドグリップと、
ストラップ長さ調節機構を介して、前記第１の非弾性ストラップに調節可能に連結された第２の非弾性ストラップとを具えるグリップアセンブリと、
前記第１のループを、前記第２の非弾性ストラップに取り外し可能に固定するように構成された第１のストラップ取付機構と、
前記細長部材を支持するために、前記第２のループを構造体に取り外し可能に固定するように構成された第２のストラップ取付機構とを具えることを特徴とするキット。
【発明の詳細な説明】
【技術分野】
【０００１】
本願は、２０１６年１１月２２日に出願された米国特許出願第１５／３５９，１７６号の「ＡＰＰＡＲＡＴＵＳ，ＫＩＴ，ＡＮＤ  ＭＥＴＨＯＤ  ＦＯＲ  ＰＥＲＦＯＲＭＩＮＧ  ＳＴＲＡＰ−ＢＡＳＥＤ  ＥＸＥＲＣＩＳＥＳ（ストラップベースの訓練を行うための装置、キット、および方法）」の利益および優先権を主張し、その内容は参照により本明細書に完全に援用される。
【０００２】
本発明は一般にモジュール型ストラップベースの訓練装置および方法に関し、より具体的には、ストラップベースの訓練装置の部品をモジュール連結するための装置および方法に関する。
【背景技術】
【０００３】
本開示は一般に訓練装置に関し、特に、多様な環境において異なる訓練に使用する上で容易に構成可能な１つ以上の非弾性ストラップを有するモジュール型訓練装置に関する。
【０００４】
抵抗訓練装置は、ユーザの体の動きに抵抗を与えることにより、ユーザが訓練することが可能になる。例えば、抵抗訓練装置は個人の体重を用いることができ、または、ユーザの腕、脚、あるいは胴の動きに抵抗を与えることにより、ユーザが一の筋肉を別の筋肉に対して働かすことが可能になる。抵抗訓練装置は通常、弾性バンドまたは非弾性ストラップを含む。
【０００５】
多くの場合、抵抗訓練装置は、ドア等の支持構造体、天井の取付位置、または特別に構築された金属のトラスに取り付けるよう構成される。しかし、そのような抵抗訓練装置は多くの場合、多様な構造体と動くことが出来ないため、異なる装置は、各種類の支持構造体と共に用いられなければならない。更に、ユーザ間で身長、体重、および／または体力が異なるため、シングルユーザが一の装置を様々な訓練で用いること、または、異なるユーザが一の装置を同じ訓練に用いることが出来ない。従って、抵抗訓練装置は一般に、限られた訓練のみ、または限られた状況でのみ使用可能である。そのため、複数の訓練を行うため、または異なる種類の支持構造体と共に使用するために、ユーザが様々な抵抗訓練装置を購入、保全、および利用する必要がある。
【０００６】
幅広い範囲のスタンスと運動を可能とする調製具を含めて、どのようなユーザに対しても完全なトレーニングのために使用可能であり、訓練に有益なフォームにある、ユーザの動きに抵抗を与える抵抗訓練装置の提供が望まれていた。更に、ユーザが求める強度および信頼性を示すと同時に、経済的に製造され、かつ装置のサイズおよび重量に不利な影響を与えないモジュール型抵抗訓練装置が必要である。そのようなものとして、抵抗訓練装置の部品（例えば、ストラップ等）を多数の異なる構成に共に連結する改良装置および方法が特に必要である。
【発明の概要】
【０００７】
ここに記載される装置および方法は、新規の抵抗訓練システムを提供することにより、先行技術の欠点を克服する。
【０００８】
ここに請求する発明の一実施例に従って、モジュール型ストラップベースの訓練装置が、そのような装置を構成し、かつその部品を取り付ける方法と共に提供される。
【０００９】
ここに請求する発明の実施例に従って、非弾性訓練装置が提供され、非弾性訓練装置は、
或る長さ分離れた一対の端部を有する細長部材と、
細長部材の第１の部分を細長部材の第２の部分に対して折り返すことにより形成された第１のループであって、細長部材の第２の部分が、細長部材の第１の部分に近接する第１のループと、
細長部材の第３の部分を細長部材の第２の部分に対して折り返すことにより形成された第２のループであって、細長部材の第３の部分が、細長部材の第２の部分に近接する第２のループとを具え、第２のループが、第１のループに近接しており、
細長部材の第２の部分が、細長部材の第１の部分および細長部材の第３の部分に固定される。
【図面の簡単な説明】
【００１０】
全体として以下の開示は、添付の図面、図面の説明、要約書、背景、開示の分野、および関連する見出しと共に読まれる、提供された詳細な説明を参照することで最も良く理解され得る。異なる図面における同一の参照番号は、同一の構成要素または機能的に同等の構成要素を特定する。要約書に挙げた構成要素は言及しないが、詳細な説明および関連する開示の構成要素との関連性により参照される。
【図１】図１は、ドアとドア枠との間に固定されている従来技術の訓練装置の概略正面図である。
【図２】図２は、図１の２−２線に沿った、ドアとドア枠との間に固定されている訓練装置の部分的概略断面図を示す。
【図３】図３は、図１の訓練装置を用いてハイロウ訓練（ｈｉｇｈ  ｒｏｗ  ｅｘｅｒｃｉｓｅ）を行っているユーザを示す図である。
【図４】図４は、別の従来の訓練装置を示す斜視図である。
【図５】図５は、無限ループの第１の実施例を含む、ハンドグリップアセンブリの斜視図である。
【図６】図６は、ハンドグリップアセンブリの一方の要素が省略された、図５に示した無限ループの側面図である。
【図７】図７は、無限ループの第２の実施例を含む、ストラップの斜視図である。
【図８】図８は、図７に図示した無限ループの断面図である。
【図９】図９は、水平バーに取り付けられた無限ループの実施例を含む、ストラップの斜視図である。
【図１０】図１０は、ハンドグリップが無限ループに取り付けられた、図９のストラップの斜視図である。
【図１１】図１１は、無限ループが水平バー取り付けられた、ハンドグリップの斜視図である。
【発明を実施するための形態】
【００１１】
本開示は、図示した装置の特定の詳細に限定されず、他の変更および応用を想定することができる。本明細書に関連する本開示の精神と範囲から外れることなく、装置、デバイス、または方法において更なる変更を加えることができる。従って、本開示の主題は、限定的な意味ではなく、例示的な意味として解釈すべきである。
【００１２】
様々な実施例を従来技術と比較する目的で、これらの実施例の所定の態様と利点を適宜述べる。もちろん、これらの態様または利点が全て特定の実施例によって達成できる必要はないと理解すべきである。限定するものではないが、ここではストラップとして記載されており、円形あるいはその他の断面形状を有する、及び／又は、２またはそれ以上の、ステッチによって、あるいは接着剤を用いた互いに連結した部材でできた非弾性部材の使用、あるいは、限定するものではないが、バックル、ホック、または硬質構成要素の周囲への非弾性部材の巻回を含む、この分野で知られている非弾性部材の長さを調節する様々な機構の使用、を含む変形例及び変更例は、本発明の精神と範囲から外れることなく当業者によって行うことができる。更に、本発明の範囲から外れることなく、いずれかの実施例の一またはそれ以上の特徴は、別の実施例の一またはそれ以上の別の特徴と組み合わせることができる。
【００１３】
ここに開示されるのは、モジュール型訓練装置であって、様々な構成において、様々な支持構造体により支持されるよう構成されるか、容易に取り付けられるよう構成される。モジュール型訓練装置は、ユーザの体に抵抗を与えるために、装置の構成および装置の様々な部分の長さを容易に調節することによって、数多くの訓練をユーザに実行させることができる。
【００１４】
ここに開示されるモジュール型抵抗訓練装置をより良く理解するために、２つの例示的な従来技術の抵抗訓練装置を一般に、米国特許第７，０４４，８９６号（その開示は、参照により本明細書に援用される）から引用された図１乃至４を参照して以下に説明する。
【００１５】
図１乃至３は、抵抗訓練装置１００の概要を示す。図１の概略図に示すように、訓練装置１００を、ドアＤとドア枠Ｊとの間のポイントＡに固定することができる。図２は、ドアＤを貫通する図１の２−２線に沿った部分的断面図２−２であり、訓練装置１００のプロファイルを示す。図３は、図１に示す訓練装置で訓練を行っているユーザＵを示す。
【００１６】
訓練装置１００は、図１及び２に概ね示すとおり、アンカ１１０と、当該アンカの各側に第１の細長部材１２２ａと第２の細長部材１２２ｂとして示す一対の細長部材１２２とを具える。一対の細長部材１２２はそれぞれ、機構１３５ａと１３５ｂとして示す対応する延長機構１３５（ここでは、ストラップ長さ調節機構ともいう）を具える。一対のグリップ１２３が提供されており、各アーム１２２の各端部１２１に一つずつ配置され、特に第１のアーム１２２ａは、第１のグリップ１２３ａを有し、第２のアーム１２２ｂは第２のグリップ１２３ｂを具える。各アーム１２２は、実質的に非弾性的であり、一対のグリップ１２３の一方と対応するアンカ１１０の間の調整可能な長さＬはフレキシブルである。各アーム１２２の長さは、二重矢印ΔＬによって表示されている対応する延長機構１３５を用いることにより調整可能である。
【００１７】
ここで用いられているように、「グリップ」という名詞は、人間の体の一部と相互係合可能なあらゆるデバイス、つまり、人が力、好ましくは、人の体重のいくらかあるいは全体重をグリップに伝えることができるデバイスに及ぶ。用いられるように、「握る」という動詞は、装置と身体部分の相互係合動作を意味する。訓練装置に用いられている場合は、グリップは、限定するものではないが、静止した支持体、（弾性コードやばね）、あるいは別の身体部分などのエネルギィを保存しあるいは放出できるデバイスを含めて、別の物体に力を伝えることができるその他の要素に取り付けられている。グリップは、例えば、フレキシブルなループやフックなど、身体部分で取り囲むことができるデバイス、または例えば手に密着して把握できる細長部材など、身体部分が取り囲むことができるデバイスを含む。このコンテキストにおいて、握ることができる部材は、身体部分を取り囲むことができるものか、あるいは身体部分によって囲まれうるものであり、ユーザからグリップへ力を伝えることができるサイズと構造を有する。「ハンドグリップ」は、手で握るサイズのグリップであり、「フットグリップ」は、足で握るサイズのグリップであり、「フィンガグリップ」は、一またはそれ以上の指で握るサイズのグリップである。
【００１８】
アンカ１１０は、いくらかの移動量を許容する細長部材１２０の支持体を提供する。特に、アンカ１１０と細長部材１２０の相互作用によって、細長部材１２０をアンカ１１０に沿って配置することができ、細長部材１２０のアンカ１１０に沿った移動に対して抵抗を与える。この抵抗は、ある状況の下、細長部材１２０の端部にかかる力に多少のミスマッチがあるとしても、支持部材が細長部材１２０をアンカ１１０に沿って移動させないように十分なものであることが好ましい。このように、訓練装置１００は、例えば、細長部材１２０の長さを変化させることによって、様々な訓練に使用することができ、また、訓練しながらユーザに支持体を提供できる訓練装置を提供する。
【００１９】
ここであるタイプの支持体は、限定するものではないが、「摩擦サポート」と呼ばれる。摩擦サポートを提供するアンカは、限定するものではないが、訓練中に細長部材１２０を支持することができ、その上を細長部材１２０が摺動できる構成要素または構成要素部分を含む。アンカ１１０の上を細長部材１２０が移動するときの抵抗は、アンカ１１０を摺動する細長部材１２０の摩擦抵抗によって、部分的に決定する。例えば、ユーザが自身の位置にいる間に細長部材１２０がアンカ１１０に沿って摺動するように構成される。訓練中に、グリップ１２３にかかる引張力の若干のミスマッチが、摩擦サポートの静止摩擦によってマッチし、グリップ１２３は訓練中に移動しない。即ち、摩擦サポートによって発生する細長部材１２０とアンカ１１０間の静止摩擦は、訓練中に細長部材１２０がアンカ１１０に沿って摺動しない訓練を行うのに十分である。摩擦サポートを提供する手段には、アンカの一部をなす、あるいはアンカに取り付けられている細長部材を支持することができ（例えば、グリップを含む）、細長部材を支持アンカに沿って摺動させることができ、訓練中に細長部材の動きに摩擦抵抗を与える構成要素あるいは構成要素部分が含まれる。
【００２０】
アンカ１１０は訓練装置１００の固定アンカポイントを提供し、図２に矢印Ｆで、また図３に示すようにユーザの体重がアーム１２２にかかるときにユーザの体重を支持する。図２に示すように、アンカ１１０は、ドアに訓練装置１００を位置決めするように構成されており、拡大部分１１１、ストラップまたはコードでとめることができる細長部材１１３、及び、アンカにより細長部材を支持するアタッチメント１１５を有することによって、細長部材１２２への支持を提供している。細長部材１２２からドアＤの反対側にある拡大部分１１１を用いて、グリップ１２３が引っ張られたときにアンカ１１０がユーザの体重を支える。各細長部材１２２の長さは、各延長機構１３５を通して容易に調整することができる。図２は、各々が長さＬを有するアーム１２２を示す。
【００２１】
一実施例において、長さＬは、広い範囲の運動を可能にする長さにわたり調整可能である。したがって、例えば、限定しないが、長さＬは概ね３乃至６フィートの長さで変えることができる。別の実施例において、細長部材１２２は概ね１．５インチの幅を有する。
【００２２】
ドアＤ（例えば、図１乃至３に示すような）などの構造体に支持されている場合、訓練装置は、ユーザに一対のグリップを提供して、装置に対するユーザの位置に応じてユーザの体重に作用して、装置の長さを容易に調整できるようにする。装置は、選択された調整可能な長さと、訓練装置に対してユーザがどこにまたはどのように立つのかによって、多数の方向のうちいずれかの方向において訓練を行うのに用いることができる。一般的に、ユーザが訓練装置を所望の長さに設定して、訓練装置近傍の地面にユーザ自身が位置し、手又は足によって訓練装置からユーザの体重の一部を支持し、地面と訓練装置によって支えられている体重とともにユーザの身体を動かすことによって訓練を行う。地面及び訓練装置上のサポートの例には、限定されるものではないが、片方の足または両足で立つこと、仰向けにあるいはうつぶせになって寝ること、膝立ち、あるいは、地面に手を付くこと、及び訓練装置支持体を手又は足で持つこと、などが適宜含まれる。
【００２３】
代替実施例（図示せず）では、細長部材１２２は延長機構１３５を具えていない。この実施例では、したがって、細長部材１２２が実質的に非弾性であり、一対のグリップ１２３間の長さＬは固定である。
【００２４】
図３を参照すると、多くの訓練位置のうちの一つにユーザＵが示されており、特に、ユーザの手で一対のグリップ１２３を握り、足をアンカポイントＡから水平距離Ｘの位置に置く、ハイロウ訓練（ｈｉｇｈ  ｒｏｗ  ｅｘｅｒｃｉｓｅ）が示されている。ドアに固定する場合、アンカポイントＡは、ドアの内側（即ち、ドアがユーザＵから離れるように開く側）にあり、ドア枠Ｊでユーザの体重を支えることができる。ユーザＵはアンカポイントＡから離れる方向へもたれており、ユーザの体重の一部を、デバイス１００を介して支えている。ユーザＵは支持される体重の量を変化させることができ、従って、アンカポイントＡ（距離Ｘ）とアーム１２２の長さ（長さＬ）に対するユーザのスタンスを調整することによって、訓練装置１００の抵抗を変えることができることは明らかである。図３に示すユーザＵは、方向ＥにてアンカポイントＡにユーザの身体を向けて、このポイントから移動させることによってハイロウ訓練を実行している。この位置で、例えば、地面と訓練装置１００によって支持されているユーザの体重を用いて、他の方向にユーザが移動することによってその他の訓練を行うことも可能である。
【００２５】
図４は、アンカ４１０と一対の細長部材４２２を含む、別の訓練装置４００の斜視図を示す。訓練装置４００、アンカ４１０、及び細長部材４２２は、以下の詳細を除いて、それぞれ訓練装置１００、アンカ１１０、及び細長部材１２２とほぼ同じである。 可能な場合は、図１乃至４において、同じ構成要素に同じ符号を付している。
【００２６】
アンカ４１０は、ストラップより幅広く拡大された第１の端部４１１と、アタッチメント４１５の第２の端部とを有する実質的に非弾性のフレキシブル細長部材４１３を具える。本開示において、「実質的に非弾性」または「非弾性」という用語は、使用中に１０％以上伸縮しない要素を指すのに使用される。当業者により理解されるように、弾力性は、特に大きな負荷を受ける場合、殆どの材料に伴うものである。アンカ４１０は、アタッチメント４１５の細長部材４２２ａ、４２２ｂとして示す各対の細長部材４２２を支持する。各細長部材４２２は、それぞれループ４２５ａと４２５ｂで示すループ４２５を形成する端部４２１ａと４２１ｂで示す端部４２１とを有し、それぞれ、グリップ４２３ａと４２３ｂで示す一対のグリップ４２３の一方を支持する。各細長部材４２２は、また、バックル４３５ａ、４３５ｂとして示すがそれに限定されない、一対の延長機構４３５を具える。さらに、各細長部材４２２は、アタッチメント４１５のストラップ４１４に縫い合わされる部材４２９ａ、４２９ｂのような部材４２９を具える。
【００２７】
上述したとおり、アンカ４１０は、非弾性のフレキシブル細長部材４１３を含む。一実施例では、アンカ４１０と細長部材４２２の長さの大部分は、限定するものではないが、装置の使用者の体重を支持するのに十分な強度を有する天然あるいは合成材料の紐でできたストラップを具える材料で構成されている。紐材は、限定するものではないが、ナイロン、ポリプロピレンあるいはその他のポリマ状繊維のうちの１またはそれ以上を具える。単一長のフレキシブル材は、代替的に、縫い合わされた、糊付けされた、あるいは互いに取り付けられた２またはそれ以上のピースを具えていてもよい。様々な実施例において、第１の端部４１１からアタッチメント４１５までの細長部材４１３の長さは、１インチから、１７インチよりも大きくてもよい。別の実施例において、第１の端部４１１からアタッチメント４１５までの細長部材４１３長さは、１インチから１８インチである。細長部材４１３は、細長部材より幅の拡大した第１の端部４１１と、アーム４２２ａ、４２２ｂに取り付けられる第２の端部４１７とを具える。
【００２８】
図１乃至４の訓練装置１００、４００は、単一の構成で用いられる。単一タイプの構造体（すなわち、ドアとドア枠との間）に取り付けるのに適している単一のアンカ１１０、４１０が、単一タイプのグリップ１２３、４２３と共に、装置１００、４００に固定される。更に、装置１００、４００の様々な部分の長さは、所定の範囲（例えば、ストラップの全長により制限される）内で調節可能である一方、装置１００、４００は単一の構成に限定され、長さを無制限に調節することができない。
【００２９】
図５は、モジュール型訓練装置の実施例での使用に適しているハンドグリップアセンブリ５００の斜視図である。更に、２つのハンドグリップアセンブリ５００を、（別々のアンカまたは取付ポイントを用いて）構造体の別々のポイントに取り付けることができ、それにより、ユーザは、例えば、プルアップ、ディップ、およびマッスルアップ等の訓練を、単一のアンカ１００、４１０を採用する訓練装置４００等の訓練装置と比べて、より容易に行うことができる。
【００３０】
実施例において、ハンドグリップアセンブリは、管状ハンドグリップ５２３と、フットグリップ５２２と、支持部材５２５とを含む、組み合わせグリップ５２０を具える。他の実施例において、組み合わせグリップ５２０の代わりに、グリップ１２３、グリップ４２３、またはハンドグリップ、フットグリップ、フィンガグリップの他の構成等の代替グリップを用いてもよい。
【００３１】
実施例において、ハンドグリップアセンブリは、両端に一対のループ５１６ａ、５１６ｂを有する部材５１４を更に具える。実施例において、第１のループ５１６ａは、延長機構５１２に移動可能に連結され、第２のループ５１２ｂは、ストラップ取付機構５１８に連結される。例示により示すように、延長機構５１２をバックルとし、ストラップ取付機構５１８をカラビナとすることができるが、それに限定されない。ストラップ拘束部５２４は、ストラップ５１４の自由端を第１のループ５１６ａの近くに固定することができる。別の実施例において、延長機構とストラップ取付機構との他の組み合わせ（例えば、２つの延長機構、２つのストラップ取付機構）が用いられ、または、ループ５１６ａ、５１６ｂのうち１つ以上は縛られない。
【００３２】
組み合わせグリップ５２０は、無限ループ５０２の第１の実施例を通して、部材５１４に取り付けられる。示すように、無限ループ５０２は、３つの異なるループ、ループ５０４、ループ５０６、およびループ５０８に形成された単一部材５１０を具える。ループ５０８は、ストラップ取付機構５１８に取り付けられるように構成されると同時に、ループ５０８は、ストラップ延長機構５１２に取り付けられるように構成される。ループ５０６は、支持部材５２５を通して、組み合わせグリップ５２０を支持するように構成される。実施例において、ループ５０６は、ループ５０６を通って移動可能な支持部材５２５の摩擦支持体として機能する。別の実施例において、ループ５０６は、支持部材５２５に固定して連結される。
【００３３】
実施例において、ループ５０６は、組み合わせグリップ５２０が使用される間、支持部材５２５がユーザの腕から斜めになるように、支持部材５２５を拘束する構成である。図５に示すように、支持部材５２５がループ５０６を通る地点で支持部材５２５がユーザの腕と略平行になるように、支持部材５２５はループ５０６により拘束される。このようにすることで、支持部材５２５の縁部が、訓練中のユーザの腕に触れる、または擦れることを防ぐ。上述のとおり、実施例において、支持部材５２５がループと平行に保持されるように、支持部材５２５はループ５０６に固定して取り付けられる。別の実施例において、支持部材は、ループ５０６により移動可能に拘束される。実施例において、ループ５０６は実質的にインフレキシブルである。ループ５０６は、支持部材５２５がユーザの前腕と平行して保持されるように、ループの曲がりを防ぐゴムの外面コーティング等、インフレキシブルな材料を組み込むことができる。
【００３４】
図６は、ハンドグリップアセンブリ５００の他の要素を省略した、無限ループの側面図を提供する。示すように、無限ループ５０２は、単一部材５１０から形成される。部材５１０を、ループ５０４、５０６、および５１０のそれぞれのところで二つに折り返すことで、部材５１０が重ねられる。端部５１０ａに近接する部材５１０の第１の部分を、部材５１０の第２の部分に対して折り返すことで、ループ５０４が形成される。部材５１０の第３の部分を、部材５１０の第２の部分に対して折り返すことで、ループ５０６が形成される。端部５１０ｂに近接する部材５１０の第４の部分を、部材５１０の第３の部分で折り返すことで、ループ５０８が形成される。このようにして、部材５１０の４つの層を含む積層体が形成される。
【００３５】
部材５１０の重ねられた部分を、共に固定することができる。実施例において、ステッチを用いて、部材５１０の層を線６０２と６０４に沿って共に接合する。実施例において、更なるステッチを用いて、部材５１０の層を、線６０２と６０４との間の領域で連結することができる。実施例において、線６０２、６０４に沿ったステッチにより、ステッチの平行線が形成される。
【００３６】
図７は、２つの無限ループ７０２ａおよび７０２ｂを具えるモジュール型訓練装置で用いるストラップ７００の実施例の斜視図を提供する。示すように、２つの無限ループ７０２ａおよび７０２ｂは、単一の細長部材７０８から形成される。細長部材の端部は、ループ７０８ａ、７０８ｂを具える。実施例において、ループ７０８ａ、７０８ｂの１つ以上が、ストラップ取付機構７１２に連結される。
【００３７】
単一のストラップ７００上に複数の無限ループ７０２ａおよび７０２ｂを提供することにより、ストラップ７００は、身長の異なるユーザにより、または（プルアップ、ディップ、およびマッスルアップ等）様々な訓練を行う一人のユーザにより、ストラップ７００の調節を必要とせずに高いアンカポイントで用いることができる。代わりに、無限ループ７０２ａおよび７０２ｂにより提供されたストラップ７００上の異なる取付ポイントを、グリップアセンブリにつなげて用いることができる。
【００３８】
細長部材７０８が折り返されたループ７０８ａおよび７０８ｂの近傍等の細長部材７０８の様々な部分を共に保持するのに、ステッチ７１０の線が用いられる。同様に、ステッチの３つの線を用いて、無限ループ７０２ａ、７０２ｂのそれぞれを形成する。実施例において、ステッチの１つまたは２つの線が用いられる。別の実施例において、ステッチの４つ以上の線が用いられる。本明細書に記載のように、他の実施例において、ループ７０８ａ、７０８ｂ、および無限ループ７０２ａ、７０２ｂを形成するために、他の機構を用いて、細長部材７０８の部分を共に保持する。
【００３９】
無限ループ７０２ａ、７０２ｂは、対向する一対の部品ループを具える。示すように、無限ループ７０２ａは、部品ループ７０４ａ、７０６ａから形成され、無限ループ７０２ｂは、部品ループ７０４ｂ、７０６ｂから形成される。モジュール式組立訓練装置のグリップ、別のグリップ、または別の部品を取り付けるため、部品ループ７０４ａ、７０４ｂ、７０６ａ、７０６ｂのそれぞれを、ストラップ取付機構に取り付けることができる。実施例において、細長部材が、ループ７０８ａに近接する支持構造体に巻かれ、ストラップ取付機構７１２が、部品ループ７０６ａに固定される。このようにして、ストラップ７００が支持構造体に固定されて、ストラップ７００を用いて様々な訓練を行うことができる。様々な実施例において、（例えば、組み合わせグリップ５２０等の）グリップが、部品ループ７０４ａ、７０４ｂ、７０６ａ、７０６ｂ、またはループ７０８ａ、７０８ｂのうち１つ以上に取り付けられる。実施例において、ユーザが、無限ループ７０４、７０６の間、またはストラップ７００の両端部の間の距離を調節できるようにするため、ストラップ長さ調節機構がストラップ７００に動作可能に連結される。
【００４０】
実施例において、力を反対側に向けるため、部品ループ７０４ａ、７０４ｂ、７０６ａ、７０６ｂへの取り付けが固定される。言い換えると、実施例において、グリップが部品ループ７０４ａまたは７０４ｂに取り付けられる場合、ループ７０８ａが支持体に固定される。同様に、グリップが部品ループ７０６ａまたは７０６ｂに取り付けられる場合、ループ７０８ｂが支持体に固定される。このようにして、ストラップ７００の強度が最大化され、ステッチ７１０にかかる力が最小化される。別の実施例において、ループ７０８ａまたは７０８ｂが支持体に固定されるか否かに関わらず、グリップを部品ループ７０４ａ、７０４ｂ、７０６ａ、７０６ｂに取り付けてもよく、それにより、ストラップ７００の汎用性が増して、幅広い訓練で使用が可能になる。
【００４１】
図８は、ストラップ７００の他の要素を省略した、無限ループ７０２の側面図を提供する。示すように、無限ループ７０２は、単一の部材７０８から形成される。部材７０８を、ループ７０４および７０６のそれぞれのところで二つに折り返すことで、部材７０８が重ねられる。部材７０８の重ねられた部分を、共に結合してもよい。実施例において、ステッチ７１０の平行線を用いて、部材７０８の層を共に結合する。
【００４２】
図９は、支持構造体９００に固定されたストラップ７００の実施例の斜視図を提供する。示すように、細長部材７０８が、ループ７０８ａに近接する支持構造体９００に巻かれる。ストラップ取付機構７１２が部品ループ７０６ａに固定され、それにより、支持構造体９００の周りに閉じたループが形成される。このようにして、ストラップ７００が支持構造体９００に固定され、ストラップ７００を用いて様々な訓練を行うことができる。
【００４３】
図１０は、支持構造体９００および組み合わせグリップ５００に固定されたストラップ７００の実施例の斜視図を提供する。示すように、組み合わせグリップ５００は、ストラップ取付機構５１８を用いて部品ループ７０４ａに取り付けられると同時に、ストラップ７００が支持構造体９００に固定される。
【００４４】
図１１は、支持構造体９００に直接固定された組み合わせグリップ５００の実施例の斜視図を提供する。示すように、部材５１４が構造体の上を通り、ストラップ取付機構５１８がループ５０８に固定される。
【００４５】
実施例において、訓練装置をモジュール組み立てするためのキットが提供される。キットは、１つ以上の組み合わせグリップ５００およびストラップ７００を含むことができる。ユーザは、組み合わせグリップ５００の１つ以上を支持構造体９００に直接連結するか、ストラップ７００のうち１つ以上を支持構造体９００に連結して、組み合わせグリップ５００のうち１つ以上をストラップ７００に連結するかのいずれかにより様々な訓練を行うことができる。例示により、単一のストラップ７００が、ループ７０６ａを介して第１の組み合わせグリップ５００に、ループ７０６ｂを介して第２の組み合わせグリップ５００に連結されてもよい。キットの部品の様々な配列を組み立てる際に、フレキシビリティを促進するために、１つ以上のストラップ長さ調節機構１３５、および／またはストラップ取付機構５１８をキットに提供してもよい。キットの他の構成は、本開示を基に当業者に明確である。
【００４６】
図１０および１１は更に、一対のストラップ７００の実施例の斜視図を提供し、それぞれが支持構造体９００と、各対の組み合わせグリップ５００のうちの一対に固定される。この構成により、ユーザが、プルアップ、ディップ、マッスルアップ等、様々な完全にぶらさがった訓練を行うことが可能になる。支持構造体９００上に異なるアンカポイントを有する２つの異なるストラップ７００を使用することで、ユーザが、組み合わせグリップ５００間の距離、およびストラップ７００の角度を変更することが可能になる。更に、ユーザは、ストラップ７００を摺動するだけで、ストラップ７００を構造体９００に沿って容易に移動し、異なるアンカポイントを選択することができる。
【００４７】
当業者は、本開示で特定された全ての様々な構成要素が、金属、合成物、工学プラスチック、自然または合成材料等それらに限定されずに、求められる構造負荷および環境に適した任意の材料、または材料の組み合わせから作成できることを認識するだろう。
【００４８】
更に、特定の好ましい実施例が示され、記載されているが、開示の教示を逸脱することなく変更および修正可能であることが、当事者にとって自明である。 上記の説明、および添付図面に記載の事項は、図示のみにより示され、限定されるものではない。本開示の実際の範囲は、関連技術に基づいて、正しい視点で検討する場合に、以下の請求項に定義されるよう意図されている。
【要約】
本開示は、モジュール型ストラップベースの訓練装置、キット、およびそれらの使用方法に関し、より具体的には、ストラップベースの訓練装置の部品をモジュール連結するための装置、キット、および方法に関する。実施例において、ストラップベースの訓練装置は、訓練装置の様々な部分を取り付けるよう構成された１つ以上の無限ループを含む。訓練装置は、細長部材と、グリップアセンブリと、ストラップの長さを調節して、ストラップを連結する１つ以上の機構とを含むキットとして提供することができる。
【選択図】図１【図１】
0006632048.tif 000002
【図２】
0006632048.tif 000003
【図３】
0006632048.tif 000004
【図４】
0006632048.tif 000005
【図５】
0006632048.tif 000006
【図６】
0006632048.tif 000007
【図７】
0006632048.tif 000008
【図８】
0006632048.tif 000009
【図９】
0006632048.tif 000010
【図１０】
0006632048.tif 000011
【図１１】
0006632048.tif 000012